(57)【特許請求の範囲】
【請求項１】
有機ＥＬ素子から成る発光パネルと、発光パネルに駆動電圧を供給する点灯装置と、発光パネル及び点灯装置を保持する器具本体とを備えた照明器具であって、点灯装置は、発光パネルよりも厚みがあり、器具本体は、点灯装置を収納する収納部と、発光パネルと対向する背面側に設けられた背板部と、背板部に設けられて発光パネルを前面側に一定の間隔を空けて支持する支持部とから成り、収納部は、発光パネルの発光面に対して側方に配置され、発光パネルの発光面と収納部の前面とを略面一としたことを特徴とする照明器具。
【請求項２】
前記収納部の背面と前記背板部の背面とを略面一としたことを特徴とする請求項１記載の照明器具。
【請求項３】
前記背板部は、その内部に収納部の収納空間と一体となる収納空間を有し、前記点灯装置は、基板上に電子部品を面実装して成り、厚み方向に背の高い電子部品を収納部に配置し、厚み方向に背の低い電子部品を背板部に配置したことを特徴とする請求項１記載の照明器具。
【請求項４】
複数の発光パネルを収納部の周囲に配置したことを特徴とする請求項１記載の照明器具。
【請求項５】
前記発光パネルは、その周縁を覆う枠部を備え、枠部を介して支持部に着脱自在に装着されることを特徴とする請求項１記載の照明器具。
【発明の詳細な説明】
【技術分野】
【０００１】
本発明は、光源として有機ＥＬ素子を用いた照明器具に関する。
【背景技術】
【０００２】
従来、有機ＥＬ素子から成る発光パネルを液晶表示パネルのバックライトとして用いるものがあり、例えば特許文献１等に開示されているが、近年、この有機ＥＬ素子から成る発光パネルを照明器具へ応用することが期待されている。
【特許文献１】特開平１０−１４３０９０号公報
【発明の開示】
【発明が解決しようとする課題】
【０００３】
ところで、有機ＥＬ素子から成る発光パネルを照明器具に応用するに当たって、発光パネルに駆動電圧を供給する点灯装置を照明器具に内蔵する必要があるが、有機ＥＬ素子から成る発光パネルは、基板上に透明電極、有機ＥＬ発光層、金属電極を積層形成された非常に薄い光源であり、点灯装置が発光パネルよりも厚みがあるために、照明器具の美観を損ねてしまうという問題があった。
【０００４】
本発明は、上記の点に鑑みて為されたもので、有機ＥＬ素子から成る発光パネルを用いても美観を損なうことのない照明器具を提供することを目的とする。
【課題を解決するための手段】
【０００５】
請求項１の発明は、上記目的を達成するために、有機ＥＬ素子から成る発光パネルと、発光パネルに駆動電圧を供給する点灯装置と、発光パネル及び点灯装置を保持する器具本体とを備えた照明器具であって、点灯装置は、発光パネルよりも厚みがあり、器具本体は、点灯装置を収納する収納部と、発光パネルと対向する背面側に設けられた背板部と、背板部に設けられて発光パネルを前面側に一定の間隔を空けて支持する支持部とから成り、収納部は、発光パネルの発光面に対して側方に配置され、発光パネルの発光面と収納部の前面とを略面一としたことを特徴とする。
【０００６】
請求項２の発明は、請求項１の発明において、収納部の背面と背板部の背面とを略面一としたことを特徴とする。
【０００７】
請求項３の発明は、請求項１の発明において、背板部は、その内部に収納部の収納空間と一体となる収納空間を有し、点灯装置は、基板上に電子部品を面実装して成り、厚み方向に背の高い電子部品を収納部に配置し、厚み方向に背の低い電子部品を背板部に配置したことを特徴とする。
【０００８】
請求項４の発明は、請求項１の発明において、複数の発光パネルを収納部の周囲に配置したことを特徴とする。
【０００９】
請求項５の発明は、請求項１の発明において、発光パネルは、その周縁を覆う枠部を備え、枠部を介して支持部に着脱自在に装着されることを特徴とする。
【発明の効果】
【００１０】
請求項１の発明によれば、点灯装置を収納する収納部を発光パネルの発光面に対して側方に配置し、発光パネルの発光面と収納部の前面とを略面一としたので、照明器具の厚みを収納部の厚みに抑えることができ、したがって有機ＥＬ素子から成る発光パネルの薄さを活かし、美観を損なわない照明器具を実現することができる。
【００１１】
請求項２の発明によれば、収納部の背面と背板部の背面とを略面一としたので、背板部の背面を照明器具を天井に取付けるための取付け面として、安定した取付けを行うことができる。
【００１２】
請求項３の発明によれば、背板部は、その内部に収納部の収納空間と一体となる収納空間を有し、点灯装置は、基板上に電子部品を面実装して成り、厚み方向に背の高い電子部品を収納部に配置し、厚み方向に背の低い電子部品を背板部に配置したので、点灯装置の実装面積が大きくなる場合にも、非発光面である収納部の前面の面積を、照明器具の厚み方向の高さを高くすることなく極力小さくすることができ、したがって美観を損なわない照明器具を実現することができる。
【００１３】
請求項４の発明によれば、複数の発光パネルを収納部の周囲に配置したので、複数の発光パネルを用いる場合に照明器具全体のバランスを保つことができ、したがって照明器具を天井に取付けた際の安定性を向上することができる。
【００１４】
請求項５の発明によれば、発光パネルは、その周縁を覆う枠部を備え、枠部を介して支持部に着脱自在に装着されるので、容易に発光パネルを交換することができる。
【発明を実施するための最良の形態】
【００１５】
（実施形態１）
以下、本発明の第一の実施形態について図面を用いて説明する。本実施形態は、有機ＥＬ素子から成る発光パネル１と、発光パネル１に駆動電圧を供給する点灯装置２と、発光パネル１及び点灯装置２を保持する器具本体３とを備えた照明器具で、点灯装置２は、発光パネル１よりも厚み方向の高さが高くなっている（図１（ａ）参照）。
【００１６】
発光パネル１は、図２に示すように、例えばガラス等の透明基板１ａ上に陽極を構成する透明電極１ｂ、有機材料を含む有機発光層１ｃ、及び陰極を構成する金属電極１ｄが順次積層されて略矩形状に形成されており、透明電極１ｂ及び金属電極１ｄに順方向電圧を印加することで有機発光層１ｃが発光し、透明電極１ｂ及び透明基板１ａを通じて光が外部に取り出される。尚、本実施形態では略矩形状であるが、この形状に限定される必要は無く、他の形状でも構わない。
【００１７】
点灯装置２は、電源コード２ａを介して外部の交流電源（図示せず）と接続されており、例えば交流電源電圧を全波整流するダイオードブリッジ（図示せず）と、整流された脈流電圧を平滑化する平滑用コンデンサ（図示せず）と、平滑された電圧を発光パネル１の駆動電圧まで降圧するＭＯＳＦＥＴ等のスイッチング素子を用いた降圧コンバータ（図示せず）と、降圧コンバータの出力を受けてＭＯＳＦＥＴ等のスイッチング素子の入／切によって発光パネル１に間欠的に駆動電圧を供給するスイッチング手段（図示せず）とから構成される。尚、点灯装置２の回路構成は上記に限定されるものではなく、発光パネル１に駆動電圧を供給できるものであれば他の回路構成でも構わない。
【００１８】
器具本体３は、図１（ａ）に示すように、略直方体に形成されて点灯装置２が収納される収納部３ａと、収納部３ａと一体に形成されて発光パネル１と対向する背面側に配置される平板形状の背板部３ｂと、背板部３ｂの図１（ａ）における左右両端部に背板部３ｂと一体に各々形成されて発光パネル１の前記左右両端縁を挟持する一対の支持部３ｃとから成る。収納部３ａは、発光パネル１の発光面に対して側方に配置される。支持部３ｃは、略Ｌ字状に形成され、前記上下方向において背板部３ｂから一定の間隔を空けて発光パネル１を挟持する。背板部３ｂ及び支持部３ｃの内部には、点灯装置２と発光パネル１とを電気的に接続するための電線５が配線されている。また、支持部３ｃは、収納部３ａの前面が発光パネル１の発光面と略面一となるように発光パネル１を挟持しており、背板部３ｂの背面は、収納部３ａの背面と略面一となるように構成されている。
【００１９】
上述のように、点灯装置２を収納する収納部３ａを発光パネル１の発光面に対して側方に配置し、収納部３ａの前面を発光パネル１の発光面と略面一としたので、照明器具の厚みを収納部３ａの厚みに抑えることができ、したがって発光パネル１の薄さを活かすことができる。また、背板部３ｂの背面と収納部３ａの背面とを略面一となるようにしたので、照明器具を天井に取付ける際に背板部３ｂの背面を取付け面とすることができ、安定して照明器具を天井に取付けることができる。
【００２０】
（実施形態２）
以下、本発明の第二の実施形態について図３を用いて説明する。但し、本実施形態において実施形態１と共通する部分については共通の番号を付して説明を省略する。本実施形態は、点灯装置２を構成する回路をプリント配線板６上に面実装して成り、プリント配線板６を収納部３ａの収納空間と背板部３ｂの収納空間に亘って配置している。回路を構成する電子部品７は、発光パネル１の厚み方向において背の高い部品（例えばトランス、ＭＯＳＦＥＴ等）７ａと、発光パネル１の厚み方向において背の低い部品（例えばチップ抵抗等）７ｂとから成り、部品７ａを収納部３ｂの収納空間に配置し、部品７ｂを背板部３ｃの収納空間に配置している。したがって、部品７ａは発光パネル１の発光面に対して側方に位置し、部品７ｂは発光パネル１と対向する背面側に位置することになる（図３（ａ）参照）。
【００２１】
上述のように構成することで、点灯装置２を構成する回路の実装面積が大きくなる場合にも、照明器具の厚み方向の高さを高くすることなく、非発光面である収納部２の前面の面積を極力小さくすることができ、したがって薄型で美観を損なわない照明器具を実現することができる。
【００２２】
また、図３（ｂ）に示すように、収納部３ａを照明器具の略中央に配置し、収納部３ａを挟んで２枚の発光パネル１を配置してもよい。この場合も上記と同様の効果を奏する。
【００２３】
（実施形態３）
以下、本発明の第三の実施形態について図４を用いて説明する。但し、本実施形態において実施形態１と共通する部分については共通の番号を付して説明を省略する。本実施形態は、背板部３ｂの略中央に収納部３ａを設け、収納部３ａの幅方向（図４（ｂ）における左右方向）において収納部３ａの両側に、それぞれ収納部３ａの長手方向に沿って発光パネル１を２枚ずつ配置している（図４（ｂ）参照）。各発光パネル１は、背板部３ｂに設けられた支持部３ｃによって背板部３ｂから一定の間隔を空けて前面側に支持されており、収納部３ａに収納されている点灯装置２と各発光パネル１とを電線５によって電気的に接続している。また背板部３ｂの背面の略中央には、天井に設けられた引掛シーリングローゼット（図示せず）に着脱自在に器具本体３を取付ける取付機構を備えた取付装置８が設けられている（図４（ａ）参照）。この取付装置８を介して外部の交流電源から点灯装置２に電圧が供給される。尚、このような取付装置８は、従来周知であるので、詳しい説明は省略する。
【００２４】
上述のように構成することで、複数の発光パネル１を用いる場合に照明器具全体のバランスを保つことができ、したがって照明器具を天井に取付けた際の安定性を向上することができる。
【００２５】
（実施形態４）
以下、本発明の第四の実施形態について図５を用いて説明する。但し、本実施形態において実施形態１と共通する部分については共通の番号を付して説明を省略する。本実施形態は、発光パネル１に発光パネル１の周縁を覆う枠部４を設けている。枠部４は、略Ｕ字形状に形成されており、発光パネル１の発光面が外部に臨むように一面を開口している（図５（ａ）参照）。また、枠部４の図５（ａ）における右側の辺には、後述する差込孔９に差し込まれる凸形状の差込部４ｂが形成されており、差込部４ｂの長手方向の両端には、点灯装置２と電気的に接続するための電極４ａがそれぞれ設けられている。各電極４ａは、発光パネル１と電線５によって電気的に接続されている。
【００２６】
器具本体３は、背板部３ｂの略中央に収納部３ａが設けられ、収納部３ａには枠部４の差込部４ｂが着脱自在に挿入される略矩形状の差込孔９が複数箇所設けられている（図５（ｂ）参照）。差込孔９は前述の支持部３ｃに当たるもので、この差込孔９に枠部４の差込部４ｂを挿入することで発光パネル１が背板部３ｂから一定の間隔を空けて前面側に取付けられ、電極４ａ及び電線５を介して点灯装置２から発光パネル１に駆動電圧が供給される。
【００２７】
上述のように、発光パネル１に発光パネル１の周縁を覆う枠部４を設け、該枠部４は器具本体３の収納部３ａに着脱自在に装着されるので、発光パネル１が故障する又は発光パネル１の発光寿命が尽きる等した場合に、発光パネル１を容易に交換することができる。
【００２８】
ところで、収納部２を発光パネル１の発光面に対して側方に配置する際に、収納部２が発光パネル１の正極である透明電極１ｂ側に配置されるのが望ましい。このように配置することで、収納部２に収納される点灯装置２と発光パネル１の正極との間の電線５の長さを短くすることができ、したがって輻射雑音を低減することができる。
【図面の簡単な説明】
【００２９】
【図１】本発明の第一の実施形態の照明器具を示す図で、（ａ）は発光パネルを上方から見た断面図で、（ｂ）は発光パネルを前方から見た平面図である。
【図２】本発明の発光パネルの構造を示す斜視図である。
【図３】本発明の第二の実施形態の照明器具を示す図で、（ａ）は背の高い部品を一方の側端部に配置した発光パネルを上方から見た断面図で、（ｂ）は背の高い部品を略中央部に配置した発光パネルを上方から見た断面図である。
【図４】本発明の第三の実施形態を示す図で、（ａ）は発光パネルを上方から見た平面図で、（ｂ）は発光パネルを前方から見た平面図である。
【図５】本発明の第四の実施形態を示す図で、（ａ）は発光パネルを前方から見た平面図で、（ｂ）は発光パネルを器具本体に取付ける場合の全体図である。
【符号の説明】
【００３０】
１  発光パネル
２  点灯装置
３  器具本体
３ａ  収納部
３ｂ  背板部
３ｃ  支持部
４  枠部
【図１】
0004470870.tif 000002
【図２】
0004470870.tif 000003
【図３】
0004470870.tif 000004
【図４】
0004470870.tif 000005
【図５】
0004470870.tif 000006